(57)【要約】【課題】Ｕ字溝などのコンクリート型枠に排水管を接続するときに、仮固定状態でコンクリートを打ち込むとき排水管内にコンクリートが不測に流れ込んだり、排水管を接続した高さにずれが生じたりするのを防ぐように、予め排水管をつなぐ規格化された構成の継手で、熟練度を要せず、工期を短縮、効率化、経済性に寄与することを目的とする。【解決手段】基管部の端部が４５°の斜面をなすように形成され、この周縁に適宜の形状・構成の鍔部片が形成され、全体を合成樹脂製で一体成形されたプレート付きソケットからなることを特徴とするコンクリート成形によるＵ字溝への排水管接続用継手、および基管部の端部は直面に形成され、この周縁に適宜の形状・構成の鍔部片が形成されており、全体を合成樹脂製で一体成形されたプレート付きソケットからなることを特徴とするコンクリート成形によるＵ字溝への排水管接続用継手の構成。【選択図】図２
0003134664.tif 000002
【実用新案登録請求の範囲】
【請求項１】
基管部の端部が４５°の斜面をなすように形成され、この周縁に適宜の形状・構成の鍔部片が形成されており、全体を合成樹脂製で一体成形されたプレート付きソケット、またはプレート付きニップルからなることを特徴とするコンクリート成形によるＵ字溝への排水管接続用継手。
【請求項２】
基管部の端部は直面に形成され、この周縁に適宜の形状・構成の鍔部片が形成されており、全体を合成樹脂製で一体成形されたプレート付きソケット、またはプレート付きニップルからなることを特徴とするコンクリート成形によるＵ字溝への排水管接続用継手。
【請求項３】
鍔部片に取付け用孔を設けたプレート付きソケット、またはプレート付きニップルからなることを特徴とする請求項１または請求項２のいずれかに記載のコンクリート成形によるＵ字溝への排水管接続用継手。
【考案の詳細な説明】
【技術分野】
【０００１】  この考案は新設のコンクリート床に、コンクリート成形によるＵ字溝などを設け、それへ厨房などの流し場からの排水管を接続する際に用いる継手に関するものである。
【背景技術】
【０００２】  新設のビルなどのコンクリート床に、コンクリート成形によるＵ字溝を設け、それへ厨房などの流し場からの排水管を接続するときには、最初にＵ字溝を形成する木製の型枠に排水管の固定を行うのであるが、その作業は、従来、作業者が現場で既存の管材を適宜の長さに切断して、排水管部材を作成し、その末端をＵ字溝の型枠に接着剤、接着テープ、釘などで仮固定し、つぎにその周囲にわたり生コンクリート材を打ち込んでいた。しかしそれらの仮固定作業はすべて手作業のために熟練を要し、未熟練者の作業ではＵ字溝を形成する木製の型枠と、排水管部材の末端部の相互の固定が、接続部の不具合により適確にできず、前記の仮固定接続状態でコンクリートを打ち込むときにおいて、排水管内にコンクリートが流れ込んだり、排水管を接続した高さにずれが生じたりしてしまう。したがってそれらの作業は工事担当者にとっては難題であった。
【考案の開示】
【考案が解決しようとする課題】
【０００３】  この考案は、上記の事情に鑑み、Ｕ字溝などのコンクリート型枠に排水管を接続するときにおいて、前記の仮固定接続状態でコンクリートを打ち込むとき、排水管内にコンクリートが不測に流れ込んだり、排水管を接続した高さにずれが生じたりするのを防ぐように、予め排水管をつなぐ規格化された構成の継手を用い、それによって熟練度を要せずとも、作業できるようにして、工期を短縮、能率化し、工事全体の効率化、経済性に寄与することを目的とする。
【課題を解決するための手段】
【０００４】  基管部（４）の端部が４５°の斜面をなすように形成され、この周縁に適宜の形状・構成の鍔部片（５）が形成されており、全体を合成樹脂製で一体成形されたプレート付きソケット（３）、プレート付きニップル（３ａ）からなることを特徴とするＵ字溝などのコンクリート型枠への排水管接続用継手、基管部（４’）の端部は直面に形成され、この周縁に適宜の形状・構成の鍔部片（５’）が形成されており、全体を合成樹脂製で一体成形されたプレート付きソケット（３’）、プレート付きニップル（３ａ’）からなることを特徴とするＵ字溝などのコンクリート型枠への排水管接続用継手として、たとえば床（Ｆ）に、厨房の流し台（Ａ）からの排水管（２）を接続するＵ字溝（Ｕ）を設けるに当たり、コンクリート型枠（１）に排水管（２）を仮固定状態で接続し、これらの周囲に生コンクリートを打ち込むときに、予め排水管（２）の先端にコンクリート型枠（１）に繋ぐ規格化された前記のプレート付きソケット（３），（３’）、プレート付きニップル（３ａ），（３ａ’）を継手として使用して施工する。それによって仮固定接続状態でコンクリートを打ち込むときにおいて、排水管（２）内にコンクリートが不測に流れ込んだり、排水管（２）を接続した高さにずれが生じたりするのを防ぎ、熟練度を要せずして作業が可能となる。
【考案の効果】
【０００５】  この考案の継手は、Ｕ字溝に排水管を接続するときにおいて、仮固定接続状態でコンクリートを打ち込むとき、排水管内にコンクリートが不測に流れ込んだり、排水管を接続した高さにずれが生じたりするのを防ぐように用いるところの、予め排水管をつなぐ規格化された構成の継手となり、それにより熟練度を要せずとも、作業できるようにして、工期を短縮、能率化し、工事全体の効率化、経済性に寄与することができる。ここで使用する規格化された構成の継手は、予め製作して、それを使用することにより作業上著しく便利となる。
【考案を実施するための最良の形態】
【０００６】  基管部（４）の端部が４５°の斜面をなすように形成され、この周縁に適宜の形状・構成の鍔部片（５）が形成されており、全体を合成樹脂製で一体成形されたプレート付きソケット（３）、プレート付きニップル（３’）からなることを特徴とするＵ字溝などのコンクリート型枠への排水管接続用継手、基管部（４’）の端部は直面に形成され、この周縁に適宜の形状・構成の鍔部片（５’）が形成されており、全体を合成樹脂製で一体成形されたプレート付きソケット（３ａ）、プレート付きニップル（３ａ’）からなり、鍔部片（５），（５’）に取付け用孔（６）を設けたことを特徴とするＵ字溝などのコンクリート型枠への排水管接続用継手であり、Ｕ字溝（Ｕ）を形成するに先立って配置するコンクリート型枠（１）に、排水管（２）を接続するときにおいて、コンクリート型枠（１）にこれらのプレート付きソケット（３），（３’）、プレート付きニップル（３ａ），（３ａ’）を取り付け、その際、鍔部片（５），（５’）にある取付け用孔（６）に釘を打ち込んで固定する。そしてこれに裁断した排水管（２）を取り付けることにより、効率よくそれらを接合できる。これによってコンクリート型枠（１）に仮固定状態で接続し、これらの周囲に生コンクリートを打ち込み、その際、接合部が外れたり、ずれたりすることはなく、排水管（２）内に生コンクリートが入ったり位置がずれたりすることを完全に防止し、これら工程、作業は熟練度を要せずとも、操作できるようになり、工期を短縮、能率化し、工事全体の効率化、経済性に寄与することができる。
【実施例】
【０００７】  図１に示すのは、新築のビル、店舗などにおいて、厨房などが設置されるときに、その床（Ｆ）に、コンクリート成形によるＵ字溝（Ｕ）が設けられ、それに厨房の流し台（Ａ）からの排水管（２）を接続する状態を示す。このように流し台（Ａ）からの排水は、排水管（２）を伝って排水溝であるＵ字溝（Ｕ）に流れ込むことになる。ここで（Ｇ）はＵ字溝（Ｕ）の蓋（グレーティング）である。図２（ａ）は施工にあたっての詳細図であり、Ｕ字溝（Ｕ）を形成するに先立って配置するコンクリート型枠（１）に、排水管（２）が接続される状態を示す。排水管（２）が途中で折れ曲がるときのＵ字溝（Ｕ）に対して斜め接ぎ状態と、排水管（２）が真直ぐのときの直接ぎ状態とを示す。図２（ｂ）は図２（ａ）の側断面である。ここでＵ字溝（Ｕ）を形成するに先立って配置するコンクリート型枠（１）に、排水管（２）を接続するときにおいて、排水管（２）をコンクリート型枠（１）に仮固定状態で接続し、これらの周囲に生コンクリートを打ち込むとき、排水管（２）内に生コンクリートが不測に流れ込んだり、排水管（２）を接続した高さにずれが生じたりするのを防ぐように、予め排水管（２）をつなぐコンクリート型枠（１）に繋ぐところの、規格化された構成の継手としてプレート付きソケット（３），（３’）、プレート付きニップル（３ａ），（３ａ’）などをそこに使用する。【０００８】  図３（ａ），（ｂ），（ｃ）に示すのは、斜め接ぎ用のプレート付きソケット（３）の三面から見た図で、基管部（４）の端部が４５°の斜面をなすように形成され、この周縁に鍔部片［この構成は必ずしも図示するところに限らず、たとえば一部を切り欠いた形状・構成でもよい］（５）が形成されており、全体を合成樹脂製（塩化ビニール樹脂など）で、一体成形されている。なお基管部（４ａ）は裁断して用意した排水管（２）の管材を中に差し込んで取り付ける部分であり、図４（ａ），（ｂ），（ｃ）は、図３（ａ），（ｂ），（ｃ）同様の構成において、前記の基管部（４ａ）を設けず、基管部（４）のみとして排水管（２）の管材を外から被せるときに用いる継手であり、これは（座付き）またはプレート付きニップル（３ａ）と云う。これらの鍔部片（５）には取付け用孔（６）が数か所設けられている。【０００９】  図５に（ａ），（ｂ），（ｃ）示すのは前記した直接ぎのときに用いるプレート付きソケット（３’）の三面から見た図であり、基管部（４’）の端部は平坦に形成され、この周縁に鍔部片［同様にこの構成は必ずしも図示するところに限らず、たとえば一部を切り欠いた形状・構成でもよい］（５’）が形成されており、同じく全体を合成樹脂製（塩化ビニール樹脂など）で、一体成形されている。なお基管部（４’）の内側には周囲に突起（７）が設けられており［図５（ｄ）参照］、そこに用意した排水管（２）の管材を差し込むようになっている構成であり、図６（ａ），（ｂ），（ｃ）に示すのは、前記の図５（ａ），（ｂ），（ｃ）の構成において、基管部（４’）内に突起（７）を設けず、排水管（２）の管材は外から被せるようにした構成の継手であり、これはまた（座付き）またはプレート付きニップル（３ａ’）と云う。鍔部片（５’）には���り付け用孔（６）が数か所設けられている。なおいずれの例でも取付け用孔（６）は必ずしも設けられていなくてもよく、それは現場において適宜の工具で穿孔して使用してもよい。【００１０】  この考案の継手は、前述のＵ字溝のコンクリート型枠の他に、各種の排水管、排水設備などを形成するコンクリート型枠に同様に使用することができる。
【図面の簡単な説明】
【００１１】
【図１】  流し台とＵ字溝との接続を説明する図。
【図２】  この考案の継手により、排水管をＵ字溝に接続する状態を説明する図。
【図３】  この考案の継手の斜め接ぎ用のプレート付きソケットを示す図。
【図４】  この考案の継手の斜め接ぎ用のプレート付きニップルを示す図。
【図５】  この考案の継手の直接ぎ用のプレート付きソケットを示す図。
【図６】  この考案の継手の直接ぎ用のプレート付きニップルを示す図。
【符号の説明】
【００１２】（Ｆ）  床
（Ａ）  流し台
（Ｕ）  Ｕ字溝
（１）  コンクリート型枠
（２）  排水管
（３），（３’）  プレート付きソケット
（３ａ），（３ａ’）  プレート付きニップル
（４），（４ａ），（４’）  基管部
（５），（５’）  鍔部片
（６）  取付け孔
（７）  突起
【図１】
0003134664.tif 000003
【図２】
0003134664.tif 000004
【図３】
0003134664.tif 000005
【図４】
0003134664.tif 000006
【図５】
0003134664.tif 000007
【図６】
0003134664.tif 000008